(57)【要約】【課題】封止されたベース部とカバー部を撓ませて基板ボックス内の制御基板に不正工作を行おうとする行為を抑制可能な遊技機を提供する。【解決手段】遊技機は制御基板を収納する基板ボックス８を備えている。基板ボックス８は、ベース部１４とカバー部１５と両者を封止する封止部１６Ｈ，１６Ｌを有しており、ベース部１４は、ベース面板をベース側壁１８ａ…で囲って形成され、カバー部１５は、カバー面板２０をカバー側壁２１ａ…で囲って形成され、ベース部１４とカバー部１５は、ベース側壁１８ａ…にカバー側壁２１ａ…を内嵌させて嵌合わせるものであり、さらにカバー側壁２１ｃにベース側壁１８ｃの外側に被さるように山部３３と谷部３４が連設された歯状壁３２ｂを立設し、一方、ベース側壁１８ｃに、谷部３４を横断する横断突部３５ａと、横断突部３５ａから反山部側に折り返す立設部３５ｂとを有するガード部３５を形成してなる。【選択図】        図１
2019162483.tif 000002
【特許請求の範囲】
【請求項１】
制御基板と、該制御基板を内部に収納する基板ボックスと、を備えてなる遊技機であって、
前記基板ボックスは、ベース部と、該ベース部をカバーするカバー部と、該カバー部を前記ベース部に嵌め合わせた状態で両者を封止する封止部と、を有しており、
前記ベース部は、ベース面板の側部に前記カバー部側に向かうベース側壁を立ち上げて形成され、
前記カバー部は、カバー面板の側部に前記ベース部側に向かうカバー側壁を立ち上げて形成され、
さらに前記カバー部の前記カバー側壁の外側に、前記ベース部の前記ベース側壁の外側に被さるように山部と谷部が交互に連設された歯状壁を立設し、
一方、前記ベース部の前記ベース側壁に、前記歯状壁を厚さ方向に横断し且つ前記歯状壁の前記山部の各々が通る複数の貫通孔を形成する横断突部と、該横断突部に支持されて前記歯状壁の外側に立設された立設部と、を有するガード部を形成してなることを特徴とする遊技機。
【請求項２】
制御基板と、該制御基板を内部に収納する基板ボックスと、を備えてなる遊技機であって、
前記基板ボックスは、ベース部と、該ベース部をカバーするカバー部と、該カバー部を前記ベース部に嵌め合わせた状態で両者を封止する封止部と、を有しており、
前記ベース部は、ベース面板の側部に前記カバー部側に向かうベース側壁を立ち上げて形成され、
前記カバー部は、カバー面板の側部に前記ベース部側に向かうカバー側壁を立ち上げて形成され、
さらに前記ベース部の前記ベース側壁の外側に、前記カバー部の前記カバー側壁の外側に被さるように山部と谷部が交互に連設された歯状壁を立設し、
一方、前記カバー部の前記カバー側壁に、前記歯状壁を厚さ方向に横断し且つ前記歯状壁の前記山部の各々が通る複数の貫通孔を形成する横断突部と、該横断突部に支持されて前記歯状壁の外側に立設された立設部と、を有するガード部を形成してなることを特徴とする遊技機。
【発明の詳細な説明】
【技術分野】
【０００１】
本発明は、遊技用の制御基板と、該制御基板を内部に収納する基板ボックスとを備えてなる遊技機に関する。
【背景技術】
【０００２】
遊技球の入賞・非入賞で遊技を行うパチンコ機や、複数の数字や図柄の組み合わせで遊技を行うスロットマシン等の遊技機には、箱の身に相当するベース部と、箱の蓋に相当するカバー部とを組み合わせてなる四角い基板ボックスに、遊技用の制御基板を収納してなる制御装置が取り付けられている。
この制御装置の制御基板によって遊技の動作が制御されるようになっているため、例えばベース部からカバー部を外し、制御基板に実装されたＲＯＭ等の電子部品を不正な改造品に交換する、等の不正工作が行われていた。
かかる不正工作を防止するため、封止状態の解除に一部の破壊を要する封止部（例えば、アンカーリベット及びワンウェイネジ等）でベース部とカバー部を封止するようにしている。
【０００３】
ところで近年では、基板ボックスを構成するベース部とカバー部が、靭性の高い樹脂（例えば、ポリカーボネート）で形成されるようになっている。そして、その靱性の高さを利用して前記封止をかい潜るような不正行為が行われるようになっていた。
すなわち、殆どの基板ボックスは、直方体形状であって、通常、短辺側に前記封止部が設けられている。そこで、封止部のない長辺側のほぼ中央付近でベース部とカバー部の側壁同士の合わせ目からマイナスドライバの先端を挿入し、そのままこじて撓ませながら隙間を広げ、大きくなった隙間から制御基板に対し前記のような不正工作を行うのである。この場合、ベース部とカバー部がそれぞれ靭性の高い樹脂で形成されているため、封止を維持したまま大きく撓ませても割れや変形等の痕跡が残り難い。そして、不正後は元の形状に戻るため、基板ボックスの外観変化による不正発見が困難となっている。
【０００４】
そこで本出願人は、かかる不正工作への対抗策として、ベース部のベース側壁にカバー部のカバー側壁を外嵌させて嵌め合わせる基板ボックスに対して、内嵌側のベース側壁に、外嵌側のカバー側壁の外側に被さるように山部と谷部が交互に連設された歯状壁を立設し、上記のように封止を維持したままドライバー等の異物でベース部とカバー部をこじ開けようとした場合に、歯状壁の山部が折れて不正工作の痕跡が残る技術を開発し、特許を取得した（特許文献１）。
【先行技術文献】
【特許文献】
【０００５】
【特許文献１】特許第５０９７９５６号公報
【発明の概要】
【発明が解決しようとする課題】
【０００６】
上記技術は、不正工作の発見に効果を発揮したが、従来の構成では、比較的小さい痕跡で且つ封止を維持したままベース部とカバー部をこじ開けることができる、という新たな問題点を発見した。
【０００７】
本発明は、上記に鑑みなされたもので、その目的は、基板ボックス内の制御基板に不正工作を行おうとする行為を抑制可能な遊技機を提供することにある。
【課題を解決するための手段】
【０００８】
上記の目的を達成するため本発明は、請求項１に記載したように、
制御基板と、該制御基板を内部に収納する基板ボックスと、を備えてなる遊技機であって、
前記基板ボックスは、ベース部と、該ベース部をカバーするカバー部と、該カバー部を前記ベース部に嵌め合わせた状態で両者を封止する封止部と、を有しており、
前記ベース部は、ベース面板の側部に前記カバー部側に向かうベース側壁を立ち上げて形成され、
前記カバー部は、カバー面板の側部に前記ベース部側に向かうカバー側壁を立ち上げて形成され、
さらに前記カバー部の前記カバー側壁の外側に、前記ベース部の前記ベース側壁の外側に被さるように山部と谷部が交互に連設された歯状壁を立設し、
一方、前記ベース部の前記ベース側壁に、前記歯状壁を厚さ方向に横断し且つ前記歯状壁の前記山部の各々が通る複数の貫通孔を形成する横断突部と、該横断突部に支持されて前記歯状壁の外側に立設された立設部と、を有するガード部を形成してなる遊技機を提供する。
また、請求項２に記載したように、
制御基板と、該制御基板を内部に収納する基板ボックスと、を備えてなる遊技機であって、
前記基板ボックスは、ベース部と、該ベース部をカバーするカバー部と、該カバー部を前記ベース部に嵌め合わせた状態で両者を封止する封止部と、を有しており、
前記ベース部は、ベース面板の側部に前記カバー部側に向かうベース側壁を立ち上げて形成され、
前記カバー部は、カバー面板の側部に前記ベース部側に向かうカバー側壁を立ち上げて形成され、
さらに前記ベース部の前記ベース側壁の外側に、前記カバー部の前記カバー側壁の外側に被さるように山部と谷部が交互に連設された歯状壁を立設し、
一方、前記カバー部の前記カバー側壁に、前記歯状壁を厚さ方向に横断し且つ前記歯状壁の前記山部の各々が通る複数の貫通孔を形成する横断突部と、該横断突部に支持されて前記歯状壁の外側に立設された立設部と、を有するガード部を形成してなる遊技機を提供する。
【発明の効果】
【０００９】
本発明の遊技機によれば、基板ボックス内の制御基板に不正工作を行おうとする行為を抑制することができる。
【図面の簡単な説明】
【００１０】
【図１】設置状態の制御装置を下から見上げた斜視図である。
【図２】図１の分解斜視図である。
【図３】制御装置の裏面図である。
【図４】一部を切り欠いて示す制御装置の底面図である。
【図５】図４のＡ−Ａ線断面図である。
【図６】図４のＢ−Ｂ線断面図である。
【図７】（ａ）は図３のＣ−Ｃ線断面図、（ｂ）は封止前の状態を示す図３のＣ−Ｃ線断面図である。
【図８】（ａ）は図３のＤ１−Ｄ１線断面図、（ｂ）は図３のＤ２−Ｄ２線断面図である。
【図９】図３のＥ−Ｅ線断面図である。
【図１０】パチンコ機の裏面図である。
【図１１】他の形態を示すもので、設置状態の制御装置を下から見上げた斜視図である。
【図１２】図１１の制御装置の一部を切り欠いて示す底面図である。
【図１３】図１２のＦ−Ｆ線断面図である。
【図１４】一部を透視して示すスロットマシンの斜視図である。
【発明を実施するための形態】
【００１１】
［実施形態１］
以下に本発明の実施形態１を遊技機の一種であるパチンコ機Ｐを例示して説明する。
なお、説明の便宜上、パチンコ機Ｐの遊技者に近い側を「前」、反対側を「後」とする。また、パチンコ機Ｐに装着された後述する制御装置は、説明の便宜上、図１０の垂直設置状態を基準として遊技者に近い側を「前」、反対側を「後」とし、図面上に「前」、「後」、「上」、「下」、「右」、「左」を参考表記した。
【００１２】
［パチンコ機全体］
パチンコ機Ｐは、図１０の裏面図に示したように、四角い枠状の外枠１と、その外枠１の前面に横開きの扉状に取り付けた前枠２と、その前枠２の後面に取り付けた機構盤３と、を有する。機構盤３は、前枠２に着脱交換可能な状態に装着された遊技板（図示せず）の後面を覆うように取り付けられており、遊技球を貯留する球タンク４と、その球タンク４の遊技球を下方に流す導出樋５と、その導出樋５の遊技球を入賞の景品として遊技者に放出する景品球放出装置６と、を備え、さらに遊技のための制御を行う制御装置７，７０を備えている。
【００１３】
［制御装置］
上記のように実施形態１のパチンコ機Ｐは、図１０に示したように複数の制御装置７，７０を備えている。そのうちの一方の制御装置７０は、主として遊技動作を制御する主制御装置であり、もう一方の制御装置７は、主として図柄表示装置や音響装置或は照明装置等を制御する副制御装置である。ここでは、後者の制御装置７について説明する。
【００１４】
図２、図５、図６に示したように、制御装置７は、箱構造である基板ボックス８の内部空間８ｓに制御基板９を収納したものであり、機構盤３に着脱可能な状態に垂直設置される。
【００１５】
［制御基板］
前記制御基板９は、板状の回路基板１０と、該回路基板１０に装着された多数の電子部品１１，１１…と、多数のコネクター１２，１２…と、から概略構成される。
電子部品１１，１１…の中には、遊技用のプログラムを記録したＲＯＭ１１ｘが含まれている。該ＲＯＭ１１ｘは、回路基板１０に装着されたＲＯＭソケット１３に着脱自在に差し込まれており、多くの不正行為は、該ＲＯＭ１１ｘを不正なプログラムを記録した不正品に交換しようとするものである。
また、前記コネクター１２，１２…は、回路基板１０の上方寄りの一辺側に纏めて一列に並べられている。
【００１６】
［基板ボックス］
前記基板ボックス８は、蓋付き箱の「身」に相当するベース部１４と、蓋付き箱の「蓋」に相当するカバー部１５と、ベース部１４にカバー部１５を被せた状態で両者を封止する封止部１６Ｈ，１６Ｌと、から概略構成される。
【００１７】
［ベース部］
前記ベース部１４は、例えばポリカーボネート等の透明な樹脂製であって、図２、図５、図６に示したように、前記機構盤３に当接する横長長方形状のベース面板１７と、該ベース面板１７の四辺から後ろ向きに突設したベース側壁１８ａ〜１８ｄと、図２において右側（ベース部１４の左面）のベース側壁１８ｂの外側であってほぼ中央の高位置と、それより下の低位置に分けて突設したベース側封止部１６Ｈａ，１６Ｌａと、図２において左側（ベース部１４の右面）のベース側壁１８ｄの外側に突設したヒンジ受部１９，１９と、を有しており、全体として後面が開口したトレー状になっている。
【００１８】
［カバー部］
前記カバー部１５は、例えばポリカーボネート等の透明な樹脂製であって、図２、図５、図６に示したように、前記ベース部１４のベース面板１７に対向位置する横長長方形状のカバー面板２０と、該カバー面板２０の四辺から前向きに突設したカバー側壁２１ａ〜２１ｄと、図２において右側（カバー部１５の左面）のカバー側壁２１ｂの外側に設けられたカバー外壁２１０と該カバー外壁２１０の外側であってほぼ中央の高位置と、それより下の低位置に分けて突設したカバー側封止部１６Ｈｂ，１６Ｌｂと、図２において左側（カバー部１５の右面）のカバー側壁２１ｄの外側に突設したヒンジ掛け部２２，２２と、を有しており、全体として前面が開口したトレー状になっている。
【００１９】
かかるカバー部１５は、カバー側壁２１ａ〜２１ｄの開口サイズがベース部１４の前記ベース側壁１８ａ〜１８ｄの開口サイズより一回り小さくなっており、したがってベース部１４にカバー部１５を被せた状態でベース部１４のベース側壁１８ａ〜１８ｄの内側にカバー部１５のカバー側壁２１ａ〜２１ｄが内嵌する。
【００２０】
実施形態１のカバー部１５は、前記回路基板１０のコネクター１２，１２…の配列に合わせて上のカバー側壁２１ａ沿いにコネクタ凹部２３が形成されている。回路基板１０は、カバー部１５の開口にビスで取り付けられるようになっており、その取付け状態で図５、図６に示したように、カバー部１５のコネクタ凹部２３に設けたコネクタ孔２４，２４…から回路基板１０のコネクター１２，１２…が外部に突出する。
なお、回路基板１０は、ベース部１４の開口にビスで取り付けられるようにしてもよい。
【００２１】
ベース部１４の前記ヒンジ受部１９と、カバー部１５の前記ヒンジ掛け部２２は、接合・分離可能なヒンジ構造になっている。具体的には、図８（ｂ）の断面図に示したように、ベース部１４のヒンジ受部１９にＵ溝状の袋部１９ａを設け、一方、カバー部１５のヒンジ掛け部２２にＬ形鉤部２２ａを設け、このカバー部１５のＬ形鉤部２２ａをベース部１４の袋部１９ａに回り込ませつつ係合させることにより、カバー部１５をベース部１４に対して回動可能に支持し且つ分離可能に接合している。
なお、ベース部１４とカバー部１５は、上記のようなヒンジ構造によらず、例えばカバー部１５をベース部１４に対してその後方から印籠式にストレートに被せる方式としてもよい。
【００２２】
［封止部］
封止部１６Ｈ，１６Ｌは、ヒンジ受部１９とヒンジ掛け部２２で一方の短辺側が接合された状態のベース部１４とカバー部１５のもう一方の短辺側を接合して封止するものである。実施形態１の封止部１６Ｈ，１６Ｌは、図２、図７（ａ）、図８（ａ）に示したように、ベース部１４のベース側壁１８ｂから該ベース部１４と同じ方向に開口する箱形に突設されたベース側封止部１６Ｈａ，１６Ｌａに、カバー部１５の前記カバー外壁２１０から該カバー部１５と同じ方向に開口する箱形に突設されたカバー側封止部１６Ｈｂ，１６Ｌｂを嵌め合わせたものである。
【００２３】
二つの封止部１６Ｈ，１６Ｌのうち、設置状態で上に位置する封止部１６Ｈは、カバー側封止部１６Ｈｂをベース側封止部１６Ｈａに内嵌させたものであり、図７（ａ）の断面図に示したように、カバー側封止部１６Ｈｂに形成された角穴状の封止穴２５と、該封止穴２５の奥部から前記ベース側封止部１６Ｈａに通じる連通穴２６と、前記封止穴２５側から連通穴２６に装着された金属製のアンカーリベット２７と、封止穴２５側からアンカーリベット２７の中心にねじ込まれたワンウェイネジ２８と、前記封止穴２５を塞ぐ封止キャップ２９と、からなる。
【００２４】
一方、もう一つの封止部１６Ｌは、カバー側封止部１６Ｌｂをベース側封止部１６Ｌａに外嵌させたものであり、図８（ａ）に示したように、前記封止部１６Ｈの封止方向と前後が逆であって、ベース側封止部１６Ｌａに形成された角穴状の封止穴２５と、該封止穴２５の奥部から前記カバー側封止部１６Ｌｂに通じる連通穴２６と、前記封止穴２５側から連通穴２６に装着された金属製のアンカーリベット２７と、封止穴２５側からアンカーリベット２７の中心にねじ込まれたワンウェイネジ２８と、前記封止穴２５を塞ぐ封止キャップ２９と、からなる。
【００２５】
以上の構成である封止部１６Ｈ，１６Ｌのうち、高位置の封止部１６Ｈは、図７（ｂ）のようにカバー部１５のカバー側封止部１６Ｈｂをベース部１４のベース側封止部１６Ｈａに内嵌させて封止穴２５内のワンウェイネジ２８を締め込むと、図７（ａ）に示したようにアンカーリベット２７の端部が拡径してその力でベース側封止部１６Ｈａとカバー側封止部１６Ｈｂが接合される。そして、その状態で封止穴２５に封止キャップ２９を嵌め込んで塞ぐと、その封止キャップ２９が嵌め殺し状態に嵌って外れないため、ワンウェイネジ２８に触れることすらできなくなる。
また、もう一方の低位置の封止部１６Ｌも同様であって、カバー部１５のカバー側封止部１６Ｌｂをベース部１４のベース側封止部１６Ｌａに外嵌させて封止穴２５内のワンウェイネジ２８を締め込むと、アンカーリベット２７の端部が拡径してその力でベース側封止部１６Ｌａとカバー側封止部１６Ｌｂが接合される。そして、その状態で封止穴２５に封止キャップ２９を嵌め込んで塞ぐと、その封止キャップ２９が嵌め殺し状態に嵌って外れないため、ワンウェイネジ２８に触れることすらできなくなる。
したがって、ベース部１４とカバー部１５は、二つの封止部１６Ｈ，１６Ｌで封止されて開くことができない状態になっている。
【００２６】
次に、回路基板１０の検査を行うために封止部１６Ｈ，１６Ｌによる封止を解除する場合は、例えば図７（ａ）の想像線Ｖ１と図８（ａ）の想像線Ｖ２で示したように、ベース側封止部１６Ｈａ，１６Ｌａ及びカバー側封止部１６Ｈｂ，１６Ｌｂの基端部（ベース部１４及びカバー部１５側の端部）とアンカーリベット２７との間の位置をカッター等の工具で破断する。これによりベース側封止部１６Ｈａ，１６Ｌａとカバー側封止部１６Ｈｂ，１６Ｌｂのアンカーリベット２７やワンウェイネジ２８で接合されていた部分が切り離されるから、封止が解けてベース部１４からカバー部１５を外すことができる。
このように封止部１６Ｈ，１６Ｌを破断した後のベース部１４とカバー部１５は、もはや再利用できないため、必要な検査を実施した後、回路基板１０を新しい基板ボックス８に付け替えてパチンコ機Ｐに戻す。
【００２７】
なお、実施形態１のように二つの封止部１６Ｈ，１６Ｌを設けて前側と後側の双方向から別々に封止するようにすれば、二つの封止部を同方向から封止する場合に比べて、より優れた防犯効果を発揮させることができる。
すなわち、例えば封止部１６Ｈ，１６Ｌのアンカーリベット２７を封止キャップ２９の反対側からドリル等で破壊して封止を解除するような手口に対し、そのような破壊痕が前後両面に残るため、どちらの向きからでも発見が容易になる。これがもし二つの封止部１６Ｈ，１６Ｌを同方向から封止する向きに並べた場合には、例えばカバー部１５側からドリルによる破壊痕が見えずに発見が遅れる、という事態が起こり得る。
【００２８】
また、実施形態１ではさらに防犯効果を高めるために、カバー側封止部１６Ｈａの端部に、該カバー側封止部１６Ｈａと同じ封止穴２５ｘと連通穴２６ｘを備えた連結部３０が、破断しやすくした易破断部３１を介して連設されている。
そして、図示を省略するが、他の制御装置や機構盤３側の部品等にベース側封止部１６Ｈａと同構造の受け側連結部を形成し、その受け側連結部と前記連結部３０を封止部１６Ｈと同じくアンカーリベット２７とワンウェイネジ２８と封止キャップ２９で連結すれば、そもそも基板ボックス８をパチンコ機Ｐから外す作業が容易でなくなるため、不正のための作業に時間が掛かる。犯罪者は、時間が掛かる作業を心理的に敬遠するため、より高い防犯効果を得ることができる。
【００２９】
しかして実施形態１の基板ボックス８には、カバー部１５の長手辺を構成するカバー側壁２１ａ，２１ｃの外側に歯状壁３２ａ，３２ｂが突設されている。
該歯状壁３２ａ，３２ｂは、略台形状の山部３３と略台形状の谷部３４が交互に連設された平歯車状であり、カバー部１５のカバー側壁２１ａ，２１ｃの後端から、ベース側壁１８ａ，１８ｃの後端を乗り越えてその外側に被さるようになっている。
【００３０】
一方、下側のベース側壁１８ｃには、図１、図５に示したように、前記歯状壁３２ｂの谷部３４を横断する横断突部３５ａと、該横断突部３５ａから反山部３３側に向けて折り返す立設部３５ｂと、からなる断面略Ｌ字状のガード部３５が形成されている。
実施形態１のガード部３５は、全ての立設部３５ｂが繋がって帯板状に連続しており、したがって形態上は、ベース側壁１８ｃの外面に、前記歯状壁３２ｂの谷部３４を横断する向きの横断突部３５ａと反山部３３側に向かう立設部３５ｂとからなる断面略Ｌ字状のガード部３５を突設し、該ガード部３５の横断突部３５ａに歯状壁３２ｂの山部３３を通す貫通孔を破線状に形成すると共に貫通孔同士の間の横断突部３５ａを歯状壁３２ｂの谷部３４に整合させるようにした、と見てもよい。
このように実施形態１のガード部３５は、立設部３５ｂが帯板状に連続しているため、該立設部３５ｂの強度が増すことはもちろん、点在する横断突部３５ａ，３５ａ…同士が互いに連結されることで相乗的に強度が増す。
【００３１】
なお、ガード部３５の立設部３５ｂは、その端部が、図６に示したようにベース部１４のベース側壁１８ｃの端部より後方に突出している。このようにガード部３５の立設部３５ｂの端部とベース側壁１８ｃの端部の位置を揃えることなく前後方向に段違い状にしておけば、後方に突出した要素、つまり実施形態１では立設部３５ｂが、該立設部３５ｂとベース側壁１８ｃの間に歯状壁３２ｂを円滑に導き入れるガイドの役割を果たす。
【００３２】
以上の構成である実施形態１の基板ボックス８は、歯状壁３２ｂの谷部３４がガード部３５で保護されるため、そこにドライバー等の異物を差し込むことが困難になる。したがって、歯状壁３２ｂの谷部３４に異物を差し込んで隙間をこじ開けようとする不正を封じることができる。
また、仮に不正者が、歯状壁３２ｂの谷部３４への異物の差込みを諦め、その異物を山部３３とベース側壁１８ｃの間に差し込んでこじた場合でも、その力で山部３３が折れる（完全に破断する場合と折れ曲がる場合の何れをも含む。）ため、事後の発見が容易になる。もっとも、実施形態１のベース側壁１８ｃは、突設したガード部３５が補強リブの役割を果たして強度が向上しているため、異物で隙間を開けることも容易でない。
なお、実施形態１では、ガード部３５がベース側壁１８ｃのみに形成されていて、もう一方のベース側壁１８ａには形成されていないため、不正者がカバー側壁２１ａの歯状壁３２ａの谷部３４を狙う可能性もある。
しかし、カバー側壁２１ａとＲＯＭ１１ｘとの間には回路基板１０のコネクター１２，１２…に対応するコネクタ凹部２３があってその領域が障害になるため、敢えてガード部３５を設けなくともＲＯＭ１１ｘへの到達は容易でない。もっとも、カバー側壁２１ａの歯状壁３２ａに対応するベース側壁１８ａに、上記と同様のガード部を設けてももちろんよい。
また、図１０に示したように、制御装置７をパチンコ機Ｐに設置した状態で、カバー側壁２１ａの直上に制御装置７０があって不正を行う作業空間が殆どないため、カバー側壁２１ａへの不正工作は容易でない。
【００３３】
［その他］
実施形態１の基板ボックス８には、封止部１６Ｈ，１６Ｌのベース部１４とカバー部１５側の端部を基端部としたとき、図７（ａ）、図８（ａ）に示したように、中空状の封止部１６Ｈ，１６Ｌ内であって封止解除のための破断領域３６の前記基端部側に、破断時に破断領域３６に発生する屑類の、ベース部１４とカバー部１５の内部空間８ｓ内への侵入を防止する隔壁部３７が設けられている。
低位置の封止部１６Ｌの隔壁部３７は、ベース部１４のベース側封止部１６Ｌａに一体成形された衝立であって、その突出部分がカバー部１５のカバー側封止部１６Ｌｂ内に嵌まるようになっている。なお、隔壁部３７は、カバー部１５のカバー側封止部１６Ｌｂに一体成形して突出部分をベース部１４のベース側封止部１６Ｌａに嵌めるか、或はベース部１４のベース側封止部１６Ｌａと、カバー部１５のカバー側封止部１６Ｌｂに隔壁部３７をほぼ１／２ずつ成形して中間で継ぎ合わせるようにしてもよい。
また、高位置の封止部１６Ｈの隔壁部３７は、図７（ａ）に示したようにカバー外壁２１０によって代用されており、該隔壁部３７がベース部１４のベース側壁１８ｂに浅く当接して前記屑類の回路基板１０側への移動を遮断する。
上記のように実施形態１の制御装置７は、回路基板１０の検査を行うために封止部１６Ｈ，１６Ｌの封止を解除（封止部を破断）するのであるが、封止部１６Ｈ，１６Ｌを破断する作業で発生する樹脂の切り屑等が回路基板１０の電子部品１１，１１…等に付着すると後々故障の原因になる。
言うまでもなく中空状の封止部１６Ｈ，１６Ｌと、ベース部１４及びカバー部１５の内部空間８ｓとの間にはベース側壁１８ｂとカバー側壁２１ｂの嵌め合わせ部が存在するのであるが、両側壁１８ｂ，２１ｂの間にはベース部１４とカバー部１５を嵌め合わせる際の遊び、つまり隙間が不可欠であるため、隔壁部３７で屑類の移動を遮断する効果は大きい。
【００３４】
さらに実施形態１の基板ボックス８には、図１、図２、図３、図５、図６に示したようにカバー部１５のカバー面板２０に、回路基板１０のＲＯＭ１１ｘを着脱するのに必要なスペース以下の隙間Ｓを開けて該ＲＯＭ１１ｘの後面に対接するＲＯＭ用ガード部３８が設けられている。
実施形態１のＲＯＭ用ガード部３８は、図１、図２、図３、図５、図６に示したように、カバー部１５のカバー面板２０を凹状に窪ませて成形したもので、ＲＯＭソケット１３を含むＲＯＭ１１ｘの全体をカバーする大きさであり、該ＲＯＭ用ガード部３８に当たってＲＯＭソケット１３の解除が出来ないようになっている。
また、ＲＯＭ用ガード部３８には、ＲＯＭ１１ｘの両側に該ＲＯＭ１１ｘの移動を規制する脚状のストッパー３９が突設されており、仮にＲＯＭソケット１３が不正に解除されたとしてもＲＯＭ１１ｘが抜けないように二重のロックが設けられている。
【００３５】
また、実施形態１のパチンコ機Ｐは、図１０に示したように、制御装置７の下側、つまりガード部３５を設けた側に、少なくとも手持ち可能な鏡（図示せず）を差し入れてガード部３５沿いに移動させ得る点検空間ＣＳが設けられている。
この点検空間ＣＳに鏡を差し入れて鏡像で歯状壁３２ｂをチェックするようにすれば、作業者が一々しゃがんで歯状壁３２ｂを下から見上げなくとも、立ったままの楽な姿勢で効率良く点検を実施することができる。
もちろんこのような点検空間ＣＳは、不正を行おうとする者にとっても格好の作業空間になり得るが、実施形態１の基板ボックス８は、ガード部３５によって不正に対する防御力が向上しているため、総合的に利益の方が上回る。
【００３６】
［実施形態２］
図１１〜図１３は、実施形態２の制御装置７を示したものである。
この実施形態２の制御装置７は、ベース側壁１８ｃのガード部３５の立設部３５ｂが、各横断突部３５ａごとに独立している。この場合、実施形態１に比べて立設部３５ｂの強度が低下するものの、立設部３５ｂが破壊されればその痕跡が明瞭に残るため不正の発見は容易である。
なお、図１１〜図１３において実施形態１と同一又は同機能の要素に同じ符合を付して説明を省略する。
【００３７】
以上、本発明を実施形態１、２について説明したが、もちろん本発明は、上記実施形態１、２に限定されるものではない。例えば、実施形態１，２では、主として図柄表示装置や音響装置或は照明装置等を制御する副制御装置７について説明したが、封止構造を備えていることを条件として主制御装置７０でも同様に適用可能である。
また、実施形態１，２では、ベース部１４のベース側壁１８ａ〜１８ｄにカバー部１５のカバー側壁２１ａ〜２１ｄを内嵌させるようにしたが、逆にカバー側壁２１ａ〜２１ｄをベース側壁１８ａ〜１８ｄに外嵌させて嵌め合わせるようにしてもよい。その場合、内嵌側のベース側壁１８ｃに、外嵌側のカバー側壁２１ｃの外側に被さるように歯状壁３２ｂが形成され、一方、外嵌側のカバー側壁２１ｃにガード部３５が形成される。
また、実施形態１，２では、ガード部３５を断面Ｌ字状に形成したが、ガード部３５を構成する横断突部３５ａと立設部３５ｂが、例えば断面Ｃ字状のカーブを描いて連続するようになっていてもよい。
また、実施形態１，２では一回分の封止部１６Ｈ，１６Ｌを設けて検査のたびに基板ボックス８を使い捨てるようにしたが、複数回分の封止部を設けてそれを使い分けることにより、基板ボックス８を複数回開閉封止し得るようにしてもよい。
【００３８】
また、実施形態１，２では、歯状壁３２ｂとガード部３５が、長手辺を構成するカバー側壁２１ｃとベース側壁１８ｃに設けられている構成を例示したが、ベース部１４とカバー部１５の間をこじ開けて隙間を作る不正を防止するという観点からは、歯状壁３２ｂとガード部３５を設ける位置として、ベース部１４とカバー部１５を固定する複数の固定部（例えばヒンジ受部とヒンジ掛け部による結合部や封止部）の間隔が、ベース部１４とカバー部１５の間をこじ開ける力を受けて不正可能な隙間が生じ得る程度に離れている領域、としてもよい。そのような領域として、ベース部１４とカバー部１５の封止部が設けられていない辺、或は、封止部が設けられている辺であって封止部と隣の辺との間がある。
【００３９】
また、実施形態１，２では、遊技機としてパチンコ機Ｐを例示したが、図１４に示したようにスロットマシンＳや、その他の遊技機にも同様に適用できる。
さらにまた、実施形態１，２では、基板ボックス８をパチンコ機Ｐに対して垂直設置、つまりベース部１４のベース面板１７がパチンコ機Ｐの遊技板と平行になる向きに設置した例を示したが、基板ボックス８をベース部１４のベース面板１７が遊技板と直交する向きに設置するようにしてもよく、また、遊技機がスロットマシンＳである場合には、図１４に示したようにスロットマシンＳの筐体４０の奥（背板部）に基板ボックス８を垂直設置したり、或は筐体４０内にカバー部１５が上になる向きに寝かせて水平設置するようにしてもよい。
【符号の説明】
【００４０】
８  …基板ボックス
９  …制御基板
１４  …ベース部
１５  …カバー部
１６Ｈ，１６Ｌ  …封止部
１７  …ベース面板
１８ａ〜１８ｄ  …ベース側壁
２０  …カバー面板
２１ａ〜２１ｄ  …カバー側壁
３２ｂ  …歯状壁
３３  …山部
３４  …谷部
３５  …ガード部
３５ａ  …横断突部
３５ｂ  …立設部
Ｐ  …パチンコ機（遊技機）
Ｓ  …スロットマシン（遊技機）
【図１】
2019162483.tif 000003
【図２】
2019162483.tif 000004
【図３】
2019162483.tif 000005
【図４】
2019162483.tif 000006
【図５】
2019162483.tif 000007
【図６】
2019162483.tif 000008
【図７】
2019162483.tif 000009
【図８】
2019162483.tif 000010
【図９】
2019162483.tif 000011
【図１０】
2019162483.tif 000012
【図１１】
2019162483.tif 000013
【図１２】
2019162483.tif 000014
【図１３】
2019162483.tif 000015
【図１４】
2019162483.tif 000016